(57)【要約】【課題】複数の吹出ダクトを介して空調空気を室内に送風する場合に、一部の吹出口が閉じられた場合であっても、他の吹出口における風量の変動を防止する。【解決手段】建屋の天井部Ａに配置され、室内熱交換器１４及び送風機１５を備えた室内ユニット１に、複数の吹出ダクト２を接続し、夫々の吹出ダクト２に吹出チャンバ３０を接続し、各吹出チャンバ３０に空調空気を室内に吹き出す吹出口４２が形成された吹出パネル４０を配置した空気調和装置１００において、前記吹出パネル４０の吹出口４２を遮蔽自在な遮蔽板４３と、該遮蔽板４３の遮蔽状態を検出する検出手段２０２ａ〜２０２ｄと、該検出手段２０２ａ〜２０２ｄにより何れかの吹出パネル４０の吹出口４２が遮蔽されたことを検出した場合、前記送風機１５の風量制御を行う風量制御部２００とを備える構成とする。【選択図】図１
2009150580.tif 000002
【特許請求の範囲】
【請求項１】
建屋の天井部に配置され、室内熱交換器及び送風機を備えた室内ユニットに、複数の吹出ダクトを接続し、夫々の吹出ダクトに吹出チャンバを接続し、各吹出チャンバに空調空気を室内に吹き出す吹出口が形成された吹出パネルを配置した空気調和装置において、前記吹出パネルの吹出口を遮蔽自在な遮蔽板と、該遮蔽板の遮蔽状態を検出する検出手段と、該検出手段により何れかの吹出パネルの吹出口が遮蔽されたことを検出した場合、前記送風機の風量制御を行う風量制御部とを備えたことを特徴とする空気調和装置。
【請求項２】
請求項１に記載の空気調和装置において、
前記吹出パネルに複数の吹出口が設けられ、
各吹出口に対応して遮蔽板が設けられ、各遮蔽板が各吹出口を独立して遮蔽することを特徴とする空気調和装置。
【請求項３】
請求項２に記載の空気調和装置において、
前記吹出チャンバ内に、当該吹出チャンバ内の空調空気を、前記吹出パネルの吹出口毎に分流させる分流部を備えること、
を特徴とする空気調和装置。
【請求項４】
請求項１〜３のいずれか一項に記載の空気調和装置において、
前記遮蔽板が吹出口からの風向を制御する風向制御板であることを特徴とする空気調和装置。
【請求項５】
請求項１〜４のいずれか一項に記載の空気調和装置において、
前記天井部は、天井に吊り具を介して吊り下げられる保持バーと、この保持バーに保持される天井材とで構成されるシステム天井であって、
前記吹出パネルの外形は、前記天井材と略同形状を呈すること、
を特徴とする空気調和装置。
【発明の詳細な説明】
【技術分野】
【０００１】
本発明は、建屋の天井部に配置され、室内熱交換器および送風機を収容し、複数の吹出ダクトを介して空気調和された空気を室内に送風する空気調和装置に関する。
【背景技術】
【０００２】
近年、オフィスビルなどでは、グリッドシステム天井の導入が進んでいる。グリッドシステム天井とは、所定サイズの格子状に組まれたＴバー（保持バー）を吊り下げ、Ｔバーにより区画化されたグリッド毎に天井パネルを配置したものである。グリッドシステム天井では、オフィス内のパーソナルスペースの配置位置等に応じて空調の吹出口の位置などを比較的自由に位置決めすることができる。
【０００３】
この様なグリッドシステム天井が採用された天井部には、吹出ダクトにより空調空気の吹出口を比較的自由に位置決めすることのできるビルトイン型の空気調和装置が設置される場合が多い。ビルトイン型の空気調和装置とは、室内ユニットに複数の吹出ダクトを接続し、各吹出ダクトを介して空調空気を室内に送風するようにしたものである。各吹出ダクトには吹出チャンバが接続され、吹出チャンバには吹出口が形成された吹出パネルが嵌装される。この様な吹出チャンバの中には、吹出パネルに形成された吹出口の一部を遮蔽する遮蔽板が備えられたものがある（例えば、特許文献１参照）。
【特許文献１】特開２００５−３３１１８４号公報
【発明の開示】
【発明が解決しようとする課題】
【０００４】
ところで、近年、オフィス内でのパーソナルスペースの快適性を向上させるために、パーソナルスペース毎に風向きや風量を制御することが望まれている。人によって、空調空気が直接送風されることが快適であると感じる者もいれば、空調空気が直接送風されることを嫌う者もいる。そこで、上記従来のように吹出口の一部を遮蔽板により選択的に遮蔽させることなどにより、各パーソナルスペースの風量を調整することが考えられる。
【０００５】
しかしながら、吹出口の一部が遮蔽された場合、当該吹出口の開口面積が減少するため、室内ユニットから他の吹出ダクト側に流入する風量が増加し、他の吹出チャンバから室内に吹き出される風量が増加する恐れがあった。
このため、吹出口の一部を選択的に遮蔽自在とした場合には、他の吹出口では風量が変動し、他のパーソナルスペースにおける快適性が損なわれることが想定される。
本発明の課題は、複数の吹出ダクトを介して空調空気を室内に送風する場合に、一部の吹出口が閉じられた場合であっても、他の吹出口における風量の変動を防止することのできる空気調和装置を提供することにある。
【課題を解決するための手段】
【０００６】
上記課題を解決するため、本発明の空気調和装置は、建屋の天井部に配置され、室内熱交換器及び送風機を備えた室内ユニットに、複数の吹出ダクトを接続し、夫々の吹出ダクトに吹出チャンバを接続し、各吹出チャンバに空調空気を室内に吹き出す吹出口が形成された吹出パネルを配置した空気調和装置において、前記吹出パネルの吹出口を遮蔽自在な遮蔽板と、該遮蔽板の遮蔽状態を検出する検出手段と、該検出手段により何れかの吹出パネルの吹出口が遮蔽されたことを検出した場合、前記送風機の風量制御を行う風量制御部とを備えたことを特徴とする。
上記構成によれば、室内ユニットに夫々吹出ダクトを介して接続された複数の吹出チャンバに配置される吹出パネルには、空調空気を室内に吹き出す吹出口が形成され、吹出パネルの吹出口を遮蔽する遮蔽板が夫々備えられている。また、本発明の空気調和装置には遮蔽板の遮蔽状態を検出する検出手段と風量制御部とが備えられているので、風量制御部は、何れかの吹出パネルの吹出口が閉じられた場合に送風機の風量制御を行い、他の吹出パネルの吹出口における風量の増加を防止することができる。また、風量制御部は、何れかの吹出パネルの吹出口が開かれた場合に送風機の風量制御を行い、他の吹出パネルの吹出口における風量の減少を防止することができる。
【０００７】
上記構成において、前記吹出パネルに複数の吹出口が設けられ、各吹出口に対応して遮蔽板が設けられ、各遮蔽板が各吹出口を独立して遮蔽すること、が好ましい。
上記構成によれば、複数の吹出口が各吹出パネルに設けられ、各吹出口に設けられる遮蔽板は各吹出口を独立して遮蔽することができる。これにより、風量制御部は、遮蔽板により一の吹出パネルの何れかの吹出口が閉じられた場合、送風機の風量制御を行い、他の吹出口や他の吹出パネルの吹出口における風量の増加を防止することができる。また、風量制御部は、遮蔽板により一の吹出パネルの何れかの吹出口が開放された場合、送風機の風量制御を行い、他の吹出口や他の吹出パネルの吹出口における風量の減少を防止することができる。
【０００８】
上記構成において、前記吹出チャンバ内に、当該吹出チャンバ内の空調空気を、前記吹出パネルの吹出口毎に分流させる分流部を備えること、が好ましい。
上記構成によれば、吹出チャンバ内に設けられる分流部は、吹出チャンバ内の空調空気を吹出パネルの吹出口毎に分流させることができる。
これにより、吹出チャンバ内の気流の乱れを防止して、遮蔽板により一の吹出口が開閉された場合でも、他の吹出口から吹き出される空調空気の送風効率が低下するのを防止することができる。この時、風量制御部は、送風機の風量制御を行い、他の吹出口や他の吹出パネルの吹出口における風量の変動を防止することができる。
前記遮蔽板は吹出口からの風向を制御する風向制御板であってもよい。
【０００９】
上記構成において、前記天井部は、天井に吊り具を介して吊り下げられる保持バーと、この保持バーに保持される天井材とで構成されるシステム天井であって、前記吹出パネルの外形は、前記天井材と略同形状を呈すること、であってもよい。
上記構成によれば、天井に吊り具を介して吊り下げられる保持バーと、この保持バーに保持される天井材とで構成されるシステム天井に配置されうるよう構成され、天井材と略同形状の吹出パネルを備えるので、ユーザは、任意の位置の天井材を取り外し、その場所へ本発明の空気調和装置を配置することができる。
【発明の効果】
【００１０】
本発明によれば、複数の吹出ダクトを介して空調空気を室内に送風する場合に、一部の吹出口が開閉された場合であっても、風量制御部が送風機の風量制御を行うことにより、他の吹出口における風量の変動を防止することができる。
【発明を実施するための最良の形態】
【００１１】
次に図面を参照して本発明の好適な実施の形態について説明する。
図１は、本実施の形態における空気調和装置１００がグリッドシステム天井１０１に設置された状態を示す側面図である。また、図２は、本実施の形態における空気調和装置１００が設置されたグリッドシステム天井１０１を、天井側から見た平面図である。
空気調和装置１００は、図２に示すように、室内ユニット１と、室内ユニット１から複数本（本実施の形態では、４本）延設された吹出ダクト２と、それぞれの吹出ダクト２に接続される吹出ユニット３とを備えている。本実施の形態では、７２００ｍｍ×７２００ｍｍの空間に室内ユニット１を配置し、３６００ｍｍ×３６００ｍｍの空間に吹出ユニット３を一台ずつ配置され、室内ユニット一台に対し計４台が配置されている。また、本実施の形態における４つの吹出ユニット３は、吹出ユニット３ａおよび３ｂと、吹出ユニット３ｃおよび３ｄとの二種類で構成されている。
【００１２】
グリッドシステム天井１０１は、図１に示すように、複数本の吊り具（不図示）を介して天井に吊下げられた複数の保持バー１０１ａを備えている。
これら保持バー１０１ａは、格子状に組まれており、保持バー１０１ａで囲まれた空間に、開口部１０１ｂが形成されている。本実施の形態では、開口部１０１ｂのそれぞれは、６００ｍｍ×６００ｍｍの大きさの開口を有しており、開口部１０１ｂには、この開口の大きさに対応した、天井面を形成するための天井材１０１ｃや、室内を照明するための照明ユニット１０１ｄ等が取り付けられると共に、室内の空気調和を行うための空気調和装置１００が取り付けられている。
【００１３】
室内ユニット１は、略箱形状に形成された筐体１０を備えている。筐体１０は、天井空間Ａ内に図示しない吊りボルトを介して吊り下げられ、筐体１０の下部には空気の吸込口１１が形成されている。この吸込口１１には空気中に含まれる粉塵等を除去するためのフィルタ（図示略）が取り付けられるフィルタチャンバ１２が取り付けられている。
また、筐体１０は、筐体１０の側板に一体に設置された吹出口１３を有し、吹出ダクト２の一端が吹出口１３に嵌装され、吹出ダクト２の他端に吹出ユニット３が取り付けられている。さらに、筐体１０には、室内熱交換器１４や送風機１５が内蔵され、上記のフィルタチャンバ１２および吸込口１１を介して吸い込まれた室内の空気は室内熱交換器１４により熱交換され、熱交換後の空調空気が吹出ダクト２および吹出ユニット３を介して室内に供給される。
【００１４】
グリッドシステム天井１０１には、２枚の天井材１０１ｃが取り外され、上記フィルタチャンバ１２が配置される吸込開口１０２、および吹出チャンバ３０が配置される吹出開口１０３が形成されている。吹出開口１０３はグリッドシステム天井１０１の任意の位置に形成することができ、吸込開口１０２は筐体１０に形成された吸込口１１の下方に形成される。これらの吸込開口１０２および吹出開口１０３には、開口部１０１ｂに対応した６００ｍｍ×６００ｍｍの外形状を有する吸込パネル１６および吹出パネル４０が保持バー１０１ａに配置されている。吸込パネル１６および吹出パネル４０は、例えば、樹脂製で構成されており、吸込パネル１６および吹出パネル４０には、室内から空気を吸い込む吸込口（図示略）と、空調空気を室内に吹き出す複数（本実施の形態では、４つ）の吹出口４２が設けられている。
【００１５】
吹出ユニット３は、吹出チャンバ３０を備え、吹出チャンバ３０は、吹出パネル４０が配置される吹出開口１０３の上方に、図示を省略した吊り具によって天井空間Ａに吊り下げられている。吹出チャンバ３０は接続口３１を有し、接続口３１に吹出ダクト２が接続されている。吹出チャンバ３０の下部は、吹出パネル４０と平面視で略同形に形成され、吹出チャンバ３０と吹出パネル４０が図示しない固定具によって固定されている。
【００１６】
図３は、吹出パネル４０を室内側から見た平面図である。
吹出パネル４０は、４つの境界部４０ａ〜４０ｄで隔てられた吹出口４２を備え、各吹出口４２に吹出グリル４１が収容されている。図３では、説明の便宜上、４つの吹出口４２は、それぞれ吹出口４２ａ、４２ｂ、４２ｃ、４２ｄとする。吹出口４２および吹出グリル４１は、平面視において正方形に形成され、６００ｍｍ×６００ｍｍの正方形の外形を有する吹出パネル４０に格子状に配置されている。このため、格子状のグリッドシステム天井１０１と同様に、整然とした短径基本デザインとなり、外観上すっきりとした天井レイアウトが可能になる。また、本実施の形態では、オフィスのレイアウトを鑑み、一台の吹出ユニット３の下方に４つのパーソナルスペースが設けられることを想定しており、吹出パネル４０に格子状に４つの吹出口４２を配置することで、各パーソナルスペースに吹出口４２をそれぞれ割り当てることができる。
【００１７】
各吹出グリル４１は、薄板状に形成された複数の開閉板４３（遮蔽板）を有している。また、開閉板４３は、室内側に複数（本実施の形態では、九枚）の横案内羽根４３ａ（風向制御板）と、天井側には、横案内羽根４３ａと直交するように複数（本実施の形態では、九枚）の縦案内羽根４３ｂ（風向制御板）を備えている。
横案内羽根４３ａは、縦方向（図３中矢印Ｙ）に沿って長尺に形成されており、横方向（図３中矢印Ｘ）に所定の間隔Ｗ１で配置されている。縦案内羽根４３ｂは、横方向に沿って長尺に形成されており、横案内羽根４３ａと直交する縦方向に所定の間隔Ｗ１で配列されている。なお、図３では、吹出口４２ａは開放され、吹出口４２ｂ、４２ｃ、４２ｄは、開閉板４３により遮蔽されている。
【００１８】
また、吹出パネル４０の略中心には、赤外線信号を受光する受光部４５が配置され、さらに、４つのランプ４６が各吹出グリル４１に隣接してそれぞれ配置されている。
【００１９】
図４は、吹出ユニット３ａの断面図である。なお、図４は、吹出パネル４０については図３におけるＩＶ−ＩＶ断面図を示し、その他の部材については吹出ユニット３ａの略中心における断面図を示す。また、図４では、吹出口４２ａは開放され、吹出口４２ｄは、開閉板４３により遮蔽されている。
【００２０】
吹出ユニット３ａの吹出チャンバ３０内には、発泡スチロールで構成される分流部３２が設けられている。この分流部３２は、吹出チャンバ３０を平面視で十字に仕切る仕切部３２ａ〜３２ｄを備え、各仕切部３２ａ〜３２ｄは、上流側から流れてくる空調空気を吹出口４２毎に４つに略均等に分流する。
各仕切部３２ａ〜３２ｄは、接続口３１側が薄く、吹出パネル４０に向けて徐々にその厚さを増すように断面略三角形状に構成され、上方が凸形状をなすように形成されている。また、各仕切部３２ａ〜３２ｄは、上方が吹出チャンバ３０の形状に沿って徐々に低くなり、各仕切部３２ａ〜３２ｄの側面では吹出チャンバ３０の側面と同じ高さになるよう構成され、各仕切部３２ａ〜３２ｄの側面が吹出チャンバ３０の側面にそれぞれ固定されている。
これにより、吹出ユニット３は、空調空気を滑らかに分流することができるので、分流部３２による空調空気の気流の乱れを防止しながら、各吹出口４２毎に空調空気を分流することができ、各吹出口４２から略均等に空調空気を吹き出すことができる。
【００２１】
各吹出口４２の横案内羽根４３ａは、横案内羽根４３ａの長尺方向の両端に図示しない回動軸がそれぞれ設けられており、この回動軸を中心に回動可能になるように吹出グリル４１に支持されている。隣り合う回動軸同士は、リンク機構としての連結軸（図示略）を介して連結されている。また、連結軸の一つには、横案内羽根モータ４４ａが連結され、横案内羽根モータ４４ａは吹出パネル４０の境界部４０ａまたは４０ｃの内側に埋設されている。これにより、横案内羽根モータ４４ａを駆動すると、連結軸に回転が伝達され、さらに、連結軸から回動軸に回転が伝達されることで、九枚の横案内羽根４３ａの全てが同期して回動するように構成されている。
この構成により、横案内羽根４３ａは、横方向（図４中矢印Ｘ）の角度（姿勢）を独立して任意の角度に調整できるので、吹出口４２を独立して開閉可能であり、また、開時には横方向の風向を独立して調整することができる。
【００２２】
各吹出口４２の縦案内羽根４３ｂは、縦案内羽根４３ｂの長尺方向（図４中矢印Ｘ）の両端に図示しない回動軸がそれぞれ設けられており、この回動軸を中心に回動可能になるように吹出グリル４１に支持されている。隣り合う回動軸同士は、リンク機構としての連結軸（図示略）を介して連結されている。また、連結軸の一つには、縦案内羽根モータ４４ｂが連結され、縦案内羽根モータ４４ｂは吹出パネル４０の境界部４０ａまたは４０ｃの内側に埋設されている。これにより、縦案内羽根モータ４４ｂを駆動すると、連結軸に回転が伝達され、さらに、連結軸から回動軸に回転が伝達されることで、九枚の縦案内羽根４３ｂの全てが同期して回動するように構成されている。
この構成により、各吹出口４２の縦案内羽根４３ｂは、横方向に垂直な縦方向の角度（姿勢）を独立して任意の角度に調整できるので、吹出口４２を独立して開閉可能であり、また、開時には縦方向の風向を独立して調整することができる。
【００２３】
例えば、吹出口４２ａの横案内羽根４３ａは、横方向に所定の角度θを有しているので、図４中矢印のように吹出チャンバ３０で分流された空調空気は横方向に角度θで室内に吹き出される。また、吹出口４２ａの縦案内羽根４３ｂは、縦方向に所定の角度を有しているので、吹出チャンバ３０で分流された空調空気は吹出口４２ａから縦方向に所定の角度で室内に吹き出される。
また、吹出口４２ｄの横案内羽根４３ａおよび縦案内羽根４３ｂは、共に角度がゼロであり、吹出口４２を遮蔽しているので、空調空気は室内に供給されない。
【００２４】
上述したように、分流部３２により吹出チャンバ３０内の空調空気は各吹出口４２毎に分流されるので、吹出ユニット３は、一の吹出口４２において開閉板４３の姿勢が変更された場合や、一の吹出口４２において吹出口４２が遮蔽された場合でも、吹出チャンバ３０内の気流の乱れを防止して、他の吹出口４２から吹き出される空調空気の送風効率が低下するのを防止することができる。
以上の構成により、一の吹出ユニット３から異なる４方向へ空調空気を吹き出すことができると共に、他の吹出口４２から吹き出される空調空気の送風効率を維持した状態で、各吹出口４２毎に空調空気の風向きを横方向および縦方向に調整することができ、また吹出口４２を個別に遮蔽することもできる。
【００２５】
該空気調和装置１００では、図２に示すように、吹出ユニット３ｃ、３ｄのような吹出ユニット３も配置されている。例えば、吹出ユニット３ｃを配置する場合、吹出パネル４０は、吹出ユニット３ｃの吹出パネル４０のように、吹出パネル４０の外形を形成する辺に平行に４つの吹出口４２が設けられる。この場合、４つの吹出口４２は、吹出パネル４０の外形を形成する辺に沿って長尺に形成される。
【００２６】
図５は、吹出ユニット３ｃの断面図である。
吹出ユニット３ｃの吹出チャンバ３０内には、発泡スチロールで構成される分流部３２が設けられている。この分流部３２は、吹出チャンバ３０を平面視でＸ字に仕切る仕切部３２ａ〜３２ｄを備え、各仕切部３２ａ〜３２ｄは、上流側から流れてくる空調空気を吹出口４２毎に４つに略均等に分流する。
各仕切部３２ａ〜３２ｄは、接続口３１側が薄く、吹出パネル４０に向けて徐々にその厚さを増すように断面略三角形状に構成され、上方が凸形状をなすように形成されている。また、各仕切部３２ａ〜３２ｄは、上方が吹出チャンバ３０の形状に沿って徐々に低くなり、各仕切部３２ａ〜３２ｄの側面では吹出チャンバ３０の側面と同じ高さになるよう構成され、各仕切部３２ａ〜３２ｄの側面が吹出チャンバ３０の側面にそれぞれ固定されている。
これにより、吹出ユニット３は、空調空気を滑らかに分流することができるので、分流部３２による空調空気の気流の乱れを防止しながら、各吹出口４２毎に空調空気を分流することができ、各吹出口４２から略均等に空調空気を吹き出すことができる。
【００２７】
吹出ユニット３ｃの各吹出口４２には、吹出口４２と略同一の外形状を有する吹出グリル４１が収容され、吹出グリル４１は薄板状に形成された複数の開閉板４３を有している。また、開閉板４３は、室内側に複数（本実施の形態では、３枚）の横案内羽根４３ａと、天井側には、横案内羽根４３ａと直交するように複数の縦案内羽根４３ｂを備える。
各吹出口４２の横案内羽根４３ａは、吹出パネル４０の略中央の内側に埋設された横案内羽根モータ４４ａに駆動され、縦案内羽根４３ｂの動作とは独立して横案内羽根４３ａの全てが同期して回動するよう構成されている。
また、各吹出口４２の縦案内羽根４３ｂは、吹出パネル４０の略中央の内側に埋設された縦案内羽根モータ４４ｂに駆動され、横案内羽根４３ａの動作とは独立して縦案内羽根４３ｂの全てが同期して回動するよう構成されている。さらに、一の吹出口４２の開閉板４３は、他の吹出口４２における開閉板４３の動作とは独立して開閉することができるように構成されている。
【００２８】
ここで、吹出ユニット３ｃ、３ｄは、分流部３２の形状、吹出口４２の形状、吹出グリル４１の形状および開閉板４３の形状以外は、上述した吹出ユニット３ａ、３ｂと略同様の構成を有するため、吹出ユニット３ａ、３ｂと同様の構成については説明を省略する。
【００２９】
本実施の形態では、図１に示すように、吹出パネル４０の各吹出口４２に設けられた横案内羽根４３ａおよび縦案内羽根４３ｂを動作可能にワイヤレスのリモートコントローラ３００が設けられている。リモートコントローラ３００は、４つの吹出口４２の夫々に対応し、４個設置されている。各リモートコントローラ３００ａ〜３００ｄによって、横案内羽根４３ａの横案内羽根モータ４４ａ（図４）、および縦案内羽根４３ｂの縦案内羽根モータ４４ｂ（図４）が夫々駆動されるように構成されている。リモートコントローラ３００ａ〜３００ｄは、例えば、ユーザの使用するデスクトップタイプ等のパーソナルコンピュータに、その機能を付加してもよい。デスクワークのユーザにとって、自己のパーソナルコンピュータの例えばキーボードからの指示で吹出口４２の風向変更あるいは遮蔽を制御できれば、ユーザ本来の事務効率が向上する。
【００３０】
リモートコントローラ３００ａ〜３００ｄであれ、パーソナルコンピュータであれ、ユーザにとっては、吹出口４２の風向変更あるいは遮蔽の指示が、適切な吹出口４２の風向変更指示等となっているか否か、確認できることが望ましい。
本構成では、上述したように吹出パネル４０の４つの隅部に、各吹出口４２に対応したランプ４６が夫々設けられており、例えば自己のパーソナルコンピュータから吹出口４２の風向変更あるいは遮蔽の指示を行った場合、対応する自己の吹出口４２に隣接したランプ４６を点灯させることで、当該指示が適切に行われていることを、容易に確認できる。
【００３１】
図４において、２０２ａ，２０２ｂはセンサ（検出手段）であり、該センサは横案内羽根４３ａおよび縦案内羽根４３ｂが全閉となったことを検出する。また、２００は制御部（風量制御部）であり、制御部２００には、すべての吹出パネル４０（図２に示す４個の吹出パネル４０）の横案内羽根モータ４４ａおよび縦案内羽根モータ４４ｂ、センサ２０２ａ，２０２ｂが接続され、さらに、室内ユニット１の送風機１５が接続されている。
【００３２】
上記空気調和装置１００は、上述した室内熱交換器１４が図示しない冷媒配管により室外ユニットに収容される圧縮機（図示略）、室外熱交換器（図示略）等に接続されて、冷媒回路を構成している。また、空気調和装置１００は、図１に示すように、室内ユニット１が吸い込んだ吸込空気温度（室内の空気の温度）を検出する吸込温度センサ２０１を備え、吸込温度センサ２０１の検知温度がユーザの設定した設定温度に至るまで、圧縮機を駆動して室内熱交換器１４に冷媒を供給し、送風機１５により室内空気を循環し、室内熱交換器１４における蒸発作用あるいは凝縮作用により室内を冷房あるいは暖房する。
【００３３】
本実施の形態では、この空調運転時に、各リモートコントローラ３００ａ〜３００ｄの操作により、横案内羽根４３ａおよび縦案内羽根４３ｂの姿勢を変更可能であり、これにより４つの吹出口４２で個別に風向が制御される。
例えば、図２のシステムでは、グリッドシステム天井１０１に合計１６個の吹出口４２が設けられており、夫々の吹出口４２で個別に風向が制御される。
【００３４】
上述したように、吸込温度センサ２０１の検知温度を基準とした冷房運転あるいは暖房運転が行われている最中に、上記リモートコントローラ３００ａ〜３００ｄの操作により、合計１６個の吹出口４２の内複数の吹出口４２、例えば２つの吹出口４２で、該吹出口４２を全閉にする操作が行われると、運転中の送風機１５の送風量には変動がないため、残りの１４個の吹出口４２に対し、１６個の吹出口４２に向かうべき全ての送風空気が分散供給されることとなる。こうなった場合には、残りの１４個の吹出口４２に、送風空気が、本来必要な送風量を超えて供給されることとなり、バランスを欠いた制御となる。
【００３５】
本実施の形態では、上記リモートコントローラ３００ａ〜３００ｄの操作により、合計１６個の吹出口４２の内、何れかの吹出口４２が、横案内羽根４３ａまたは縦案内羽根４３ｂで塞がれて、全閉となった場合に、制御部２００が、送風機１５の送風量を現在送風量よりも所定量分減ずる制御を実行する。この所定量分減ずる制御は、例えば「吹出口４２の遮蔽数／吹出口４２の総数」の比を求め、その比率に応じて比例的に送風量を減じてもよく、あるいは吹出口４２に個別に重み付けをしておいて、重み付けの大きい吹出口４２が遮蔽した場合には、そうでない場合に比べて、より多く送風量を減じる等、種々の態様の実行制御が可能である。
【００３６】
本実施の形態の風量制御は、室外ユニットの圧縮機（図示略）あるいは電動膨張弁（図示略）の制御と無関係に行われる。
【００３７】
別の実施の形態として、本構成の風量制御と、室外ユニットの圧縮機（図示略）あるいは電動膨張弁（図示略）の制御とを関連づけることが可能である。
「吹出口４２の遮蔽数／吹出口４２の総数」の比率が所定の比率、例えば１／２を下回る場合、すなわち遮蔽した吹出口４２の個数が半分以下の場合、そのまま上述した構成の風量制御を実行すると共に、上記比率が１／２を超えるような場合、すなわち半分以上の吹出口４２が完全に閉じられた場合、「吹出口４２の遮蔽数／吹出口４２の総数」の比率に応じて室外ユニットの圧縮機（図示略）の運転周波数を低下させて、熱交換能力を制御するようにしてもよい。この場合、室内熱交換器１４に設けられる温度センサ（図示略）による検知温度を加味させて、室外ユニットの圧縮機（図示略）の運転周波数を低下させるようにしてもよい。吹出口４２が遮蔽されると、送風抵抗が増すため、室内熱交換器１４を通風する空気量が低下し、これにより室内熱交換器１４の能力が低下し、さらには熱交換器１４の温度低下に至る。これを上記温度センサで検知し、圧縮機（図示略）の運転周波数を低下させるようにすればよい。
【００３８】
以上説明したように、本実施の形態によれば、空気調和装置１００は、４つの吹出チャンバ３０がそれぞれ吹出ダクト２を介して室内ユニット１に接続され、吹出チャンバ３０に対応して配置される吹出パネル４０に吹出口４２および吹出口４２を開閉する開閉板４３が設けられ、制御部２００を有している。このため、制御部２００は、遮蔽された吹出口４２の遮蔽数を考慮して送風機１５の回転数を制御することができるので、一の吹出口４２が開閉板４３により閉じられた場合、他の吹出口４２から吹き出す空調空気の風量が増加しないように、送風機１５の回転数を落として風量を減少させる。また、制御部２００は、閉じられていた吹出口４２が開放された場合も、他の吹出口４２から吹き出す空調空気の風量が減少しないように、送風機１５の回転数をあげて風量を増加させる。
これにより、各スペースにおける快適性を保つことができるとともに、必要最小限の風量での運転が可能となるため、省エネ運転を実現することができる。
【００３９】
また、上記実施の形態では、各吹出パネル４０に４つの吹出口４２を設けることもでき、各吹出口４２に設けられる開閉板４３を独立して開閉することができるので、制御部２００は、パーソナルスペース毎に風向を調整することができると共に、一の吹出ユニット３の一の吹出口４２が開閉板４３により開閉された場合に、当該吹出口４２の開閉板４３を開閉し、また、他の吹出口４２から吹き出す空調空気の風量が変化しないように風量制御を行うことができる。
【００４０】
また、上記実施の形態では、吹出チャンバ３０に空調空気を分流する分流部３２が設けられ、吹出チャンバ３０内の空調空気は各吹出口４２毎に分流されるので、一の吹出口４２が開閉板４３により閉じられた場合に、吹出チャンバ３０内の気流の乱れを防止して、他の吹出口４２から吹き出される空調空気の送風効率が低下するのを防止することができる。この際、他の吹出口４２から吹き出す空調空気の風量が変化しないように風量制御も行われるため、パーソナルスペースにおける快適性を保つことができる。
【００４１】
また、上記実施の形態では、吹出ユニット３は、グリッドシステム天井１０１の天井材１０１ｃを取り外して形成される吹出開口１０３に、格子状に組まれた保持バー１０１ａによって配置されうるよう構成されている。このため、任意の位置に吹出ユニット３を配置することができ、例えば、室内のレイアウト変更等によって、吹出ユニット３の移動を迫られた場合でも、吹出ユニット３を移設することも容易であり、オフィス等の用途に非常に適している。オフィス等の人が多く集まる場所では、パーソナルスペース毎に吹出口４２の遮蔽を選択できることが望ましく、本実施の形態の空気調和装置１００では、複数の吹出口４２を個別に遮蔽することができるとともに、一の吹出口４２が遮蔽された場合に他の吹出口４２から吹き出す空調空気の風量が変化しないように風量制御も行われるため、パーソナルスペースにおける快適性を保つことができる。
【００４２】
さらに、上記実施の形態において、遮蔽された吹出口４２の数が多くなると、パーソナルスペースにおける空調性は向上するものの、室内全体の空調性に支障をきたすことが考えられる場合は、ユーザのいない方向（具体的には、天井面と略水平方向）へ吹き出し空気を導くため、この遮蔽されている吹出口４２を少し開放するようにしてもよい。これにより、パーソナルスペースにおける空調性を向上させるとともに、室内全体の空調性を確保することができる。
【００４３】
但し、上記実施の形態は本発明の一態様であり、本発明の趣旨を逸脱しない範囲において適宜変更可能であるのは勿論である。
上記実施の形態では、一の吹出口４２が遮蔽中か否かは、センサ２０２ａ，２０２ｂで検出することとしたが、これに限定されず、例えば、当該吹出口４２に対し送信される開閉指示信号の回数によって判別してもよく、あるいは各吹出ダクト２に風量センサを設け、各風量センサで検出される風量の増減によって、その吹出ユニット３の吹出口４２が開閉されたか否かを判別する構成としてもよい。
【図面の簡単な説明】
【００４４】
【図１】本発明に係る空気調和装置の一例を示す側面図である。
【図２】本発明に係る空気調和装置を天井側から示す平面図である。
【図３】本発明に係る吹出パネルを室内側から示す平面図である。
【図４】本発明に係る吹出ユニット３ａの断面図である。
【図５】本発明に係る吹出ユニット３ｃの断面図である。
【符号の説明】
【００４５】
１  室内ユニット
２  吹出ダクト
３  吹出ユニット
３０  吹出チャンバ
３２  分流部
４０  吹出パネル
４２  吹出口
４３  開閉板（遮蔽板）
１００  空気調和装置
１０１  グリッドシステム天井
２００  制御部（風量制御部）
２０２ａ〜２０２ｄ  センサ（検出手段）
【図１】
2009150580.tif 000003
【図２】
2009150580.tif 000004
【図３】
2009150580.tif 000005
【図４】
2009150580.tif 000006
【図５】
2009150580.tif 000007